(57)【要約】【課題】  作業者が身につけた墜落制止用器具にランヤードを通すための開口部から雨水が内部に浸入することを防止する作業用レインウェアを提供する。【解決手段】作業用レインウェア３０は、後身頃４１に設けられた、作業者Ｍが身につけた墜落制止用器具（ハーネス１０）にランヤード２０を通すための開口部４８と、開口部４８の下方に設けられた、ランヤード２０の動きを抑制する抑制部（ループ部４５）と、を備え、開口部４８は、内側開口片４３Ａと、内側開口片４３Ａより外側に配置される外側開口片４２Ａとが重なった状態で、下方を向いて形成される。【選択図】図３
2020158915.tif 000002
【特許請求の範囲】
【請求項１】
後身頃に設けられた、作業者が身につけた墜落制止用器具にランヤードを通すための開口部と、
前記開口部の下方に設けられた、前記ランヤードの動きを抑制する抑制部と、を備え、
前記開口部は、内側開口片と、前記内側開口片より外側に配置される外側開口片とが重なった状態で、下方を向いて形成される
ことを特徴とする、作業用レインウェア。
【請求項２】
前記抑制部は、前記開口部の下方に設けられる環状のループ部である
ことを特徴とする、請求項１に記載の作業用レインウェア。
【請求項３】
前記抑制部は、前記外側開口片が下方に突出する舌部であり、
前記舌部の側部は、縫合されている
ことを特徴とする、請求項１に記載の作業用レインウェア。
【請求項４】
前記内側開口片の上端に、生地が折り返された折返し部を備える
ことを特徴とする、請求項１〜３の何れか一項に記載の作業用レインウェア。
【請求項５】
前身頃の胸部に、透明部を備える
ことを特徴とする、請求項１〜４の何れか一項に記載の作業用レインウェア。
【発明の詳細な説明】
【技術分野】
【０００１】
本発明は、作業用レインウェアに関するものである。
【背景技術】
【０００２】
建設業等の高所作業において、高さ２メートル以上の場所で作業を行う場合には、作業床を設け、その作業床の端や開口部等には囲い、手摺、覆い等を設けて、作業者の墜落を防止することが一般的である。
【０００３】
一方、このような措置が困難な場合は、墜落制止用器具を使用することが一般的である。墜落制止用器具には、胴ベルト型とフルハーネス型がある。フルハーネス型の墜落制止用器具は、肩や腿、胸などの複数個所を保持するベルトで構成される。そして、フルハーネス型の墜落制止用器具の着用者が高所から墜落した場合には、身体が安全帯から抜け出したり、胸部・腹部を過大に圧迫したりするリスクを低減する。
【０００４】
また、屋外作業やアウトドア等において雨天などの悪天候時の際は、撥水・防水処理をしたレインウェア（雨衣）を着用する。レインウェアには、合羽やレインスーツ・ポンチョなどがある。レインウェアは、雨天時の屋外作業の他に、雨天時の通勤通学時や、雨天時の自転車・登山・ゴルフなどにも利用される。
【０００５】
このようなレインウェアは、撥水・防水処理によりレインウェア内に熱や湿気がこもってしまうことを防止するために、後身頃に開口部（ベンチレーション）を設けたものが知られている（例えば、特許文献１参照）。
【０００６】
また、作業者が身につけたフルハーネス型の墜落制止用器具に命綱（ランヤード）を連結するための開口部を設けた衣服が知られている（例えば、特許文献２参照）。
【０００７】
特許文献１には、胴部がヨークと下身頃からなる上衣において、ヨークと下身頃とを部分的に接合することにより、ヨークが少くともその下辺の一部に開口部を有する構成が開示されている。これにより、積極的にベンチレーション効果を高め、高温・多湿時の着用の際に良好な清涼感を与える。
【０００８】
特許文献２には、前身頃と後身頃を少なくとも備えた作業服の、後身頃の幅方向中央部に、作業者が装着した安全器具の係止具を挿通可能とする開孔があり、開孔は玉縁仕上げされている構成が開示されている。これにより、安全器具を装着して防寒用の作業服を着用できるようにしている。
【先行技術文献】
【特許文献】
【０００９】
【特許文献１】特開昭５７−０４２９０７号公報
【特許文献２】実用新案登録第３１９７２００号公報
【発明の概要】
【発明が解決しようとする課題】
【００１０】
しかしながら、特許文献１には、墜落制止用器具を作業者が着用した場合のことは考慮しておらず、ランヤードの動きを抑制する記載はない。そのため、特許文献１の構成では、仮に後身頃の開口部（ベンチレーション）にランヤードを通したとしても、ランヤードが動くことにより開口部が捲れてしまい、雨水が上衣の内部に浸入してしまう、という問題がある。
【００１１】
また、特許文献２には、開口部から雨水が浸入することを考慮した記載はない。そのため、特許文献１の構成では、開口部から雨水が衣服の内部に浸入してしまう、という問題がある。
【００１２】
そこで、本発明は、作業者が身につけた墜落制止用器具にランヤードを通すための開口部から雨水が内部に浸入することを防止する作業用レインウェアを提供することを目的とする。
【課題を解決するための手段】
【００１３】
前記目的を達成するために、本発明の作業用レインウェアは、後身頃に設けられた、作業者が身につけた墜落制止用器具にランヤードを通すための開口部と、前記開口部の下方に設けられた、前記ランヤードの動きを抑制する抑制部と、を備え、前記開口部は、内側開口片と、前記内側開口片より外側に配置される外側開口片とが重なった状態で、下方を向いて形成されることを特徴とする。
【発明の効果】
【００１４】
このように構成された本発明の作業用レインウェアは、作業者が身につけた墜落制止用器具にランヤードを通すための開口部から雨水が内部に浸入することを防止することができる。
【図面の簡単な説明】
【００１５】
【図１】実施例１の作業用レインウェアを着用した状態を示す斜視図である。
【図２】実施例１の作業用レインウェアを着用した状態を示す正面図である。
【図３】実施例１の作業用レインウェアを着用した状態を示す背面図である。
【図４】実施例１の作業用レインウェアを示す背面図である。
【図５】実施例１の作業用レインウェアの開口部を示す図である。
【図６】実施例１の作業用レインウェアのインナーについて説明する図である。
【図７】実施例１の作業用レインウェアの作用を説明する図である。
【図８】比較例の作業用レインウェアを説明する図である。
【図９】実施例１の作業用レインウェアの作用を説明する図である。
【図１０】実施例２の作業用レインウェアを示す背面図である。
【発明を実施するための形態】
【００１６】
以下、本発明による作業用レインウェアを実現する実施形態を、図面に示す実施例１及び実施例２に基づいて説明する。
【実施例１】
【００１７】
実施例１では、フルハーネス型の墜落制止用器具を装着した作業者が着用した場合の作業用レインウェアについて説明する。
【００１８】
［作業用レインウェアの構成］
以下、図１〜図６に基づいて、実施例１の作業用レインウェアの構成を説明する。なお、以下では、上下方向は、着丈方向を示すものとする。
【００１９】
作業用レインウェア３０は、図１に示すように、作業者Ｍが着用した衣服２の上に、フルハーネス型の墜落制止用器具（ハーネス）１０を装着した状態で、着用される。ハーネス１０には、命綱（ランヤード）２０が連結される。
【００２０】
（ハーネス）
ハーネス１０は、フルハーネス型の墜落制止用器具であり、図２及び図３に示すように、作業者Ｍの肩と腰と腿を支持するベルト１１と、ベルト１１を支持する支持体１２と、支持体１２に取り付けられたリング部材（Ｄ環）１３と、を備える。
【００２１】
（ランヤード）
ランヤード２０は、図３に示すように、ロープ２１と、ロープ２１の一方の端部に、衝撃緩衝体（ショックアブソーバ）２３を介して、取り付けられるカラビナ２２と、ロープ２１の他方の端部に取り付けられるフック２４と、を備える。
【００２２】
カラビナ２２は、Ｄ環１３に連結可能となっている。フック２４は、例えば手摺１に引っ掛けることができるようになっている。なお、フック２４は、Ｄ環１３より高い位置に引っ掛けて、墜落時の落下距離を短くし、墜落阻止時に加わる衝撃荷重を低く抑えるようにすることができる。
【００２３】
（作業用レインウェアの前身頃）
作業用レインウェア３０は、防水性の生地で形成される。作業用レインウェア３０は、例えば、ゴアテックス（登録商標）製の生地で形成することができる。作業用レインウェア３０は、作業者Ｍの臀部を覆う程の丈のレインウェアとすることができる。作業用レインウェア３０の前身頃３１には、図２に示すように、開口部３３と、開口部３３に取り付けられる透明部３４と、ランヤード２０のフック２４が取り付け可能なリング部３２と、を備える。
【００２４】
開口部３３は、作業者Ｍの右胸付近に設けられる。開口部３３は、例えば、７［ｃｍ］×１０［ｃｍ］程の縦長の矩形に形成される。
【００２５】
透明部３４は、防水性の透明な生地で形成される。透明部３４は、例えば、ポリウレタン製の透明な生地とすることができる。透明部３４は、開口部３３を覆う程の大きさに形成される。
【００２６】
リング部３２は、ランヤード２０を使用していないときに、ランヤード２０のフック２４を引っ掛けることができるようになっている。
【００２７】
（作業用レインウェアの後身頃）
作業用レインウェア３０の後身頃４１は、図４に示すように、レインウェア上部４２と、レインウェア下部４３と、袖部４４と、が縫合されて一体に形成される。
【００２８】
レインウェア上部４２とレインウェア下部４３とは、一部が上下方向（着丈方向）にオーバーラップして形成される。レインウェア上部４２が、レインウェア下部４３より外側に配置されて、このオーバーラップが形成される。
【００２９】
レインウェア上部４２の下端４２ａからレインウェア下部４３の上端４３ａまでの距離は、例えば、５〜１５［ｃｍ］程に形成される。すなわち、レインウェア上部４２とレインウェア下部４３とは、例えば、５〜１５［ｃｍ］程オーバーラップするように形成される。
【００３０】
レインウェア上部４２とレインウェア下部４３とは、作業用レインウェア３０の幅方向で、外側が縫合される。すなわち、レインウェア上部４２とレインウェア下部４３とは、作業用レインウェア３０の幅方向で、外側に縫合部４３ｂを形成する。言い換えると、レインウェア上部４２とレインウェア下部４３とは、作業用レインウェア３０の幅方向で、中央部に縫合部４３ｂが形成されない。
【００３１】
＜開口部＞
図５に示すように、縫合部４３ｂが形成されない中央部は、開口部４８を形成する。開口部４８は、作業用レインウェア３０の内側から外側に通じる開口であって、下方に向けて形成される。開口部４８は、作業用レインウェア３０の幅方向において、例えば、１４〜１７［ｃｍ］程の大きさとすることができる。
【００３２】
開口部４８を形成するレインウェア上部４２の部分は、外側開口片４２Ａを構成する。開口部４８を形成するレインウェア下部４３の部分は、内側開口片４３Ａを構成する。すなわち、開口部４８は、内側開口片４３Ａと、内側開口片４３Ａより外側に配置される外側開口片４２Ａとが重なった状態で、下方を向いて形成される。
【００３３】
内側開口片４３Ａの上端部には、内側開口片４３Ａの端部が外側に折り返された折返し部４３ｃが形成される。折返し部４３ｃは、例えば、内側開口片４３Ａが、１［ｃｍ］程外側に折り返されて形成される。
【００３４】
内側開口片４３Ａの表面と外側開口片４２Ａの裏面には、内側開口片４３Ａと外側開口片４２Ａとを締結する締結部材としての面ファスナ４６が取り付けられる。作業者Ｍが、ハーネス１０を装着していない場合や、ランヤード２０を連結していない場合には、面ファスナ４６によって、内側開口片４３Ａと外側開口片４２Ａとを締結し、雨水及び風の浸入を防ぐことができる。
【００３５】
＜ループ部＞
開口部４８の下方には、図４及び図５に示すように、ランヤード２０の動きを抑制する抑制部としてのループ部４５を備える。ループ部４５は、開口部４８の下端から下方に、例えば、２〜５［ｃｍ］程の位置に取り付けることができる。ループ部４５は、防水性の生地で、例えば、幅２［ｃｍ］程で長さ１４〜１９［ｃｍ］程の帯状に形成される。
【００３６】
ループ部４５の両端部は、レインウェア下部４３に縫合される。ループ部４５の両端部には、縫合部４５ｂが形成される。ループ部４５は、レインウェア下部４３と共に環状のループ部を構成する。
【００３７】
（インナー）
作業用レインウェア３０は、図６に示すように、作業用レインウェア３０にインナー５０を脱着可能にしてもよい。
【００３８】
インナー５０の前身頃５１には、作業者Ｍの右胸付近に、作業用レインウェア３０の開口部３３に対応するように、開口部５３が形成される。インナー５０の開口部５３は、例えば、８［ｃｍ］×１１［ｃｍ］程の縦長の矩形に形成される。インナー５０の開口部５３は、作業用レインウェア３０の開口部３３より、若干大きく形成される。
【００３９】
インナー５０の後身頃には、作業者Ｍが身につけたハーネス１０にランヤード２０を連結するための開口部５５が形成される。
【００４０】
［作業用レインウェアの作用］
以下、図７〜図９に基づいて、実施例１の作業用レインウェア３０の作用を説明する。
【００４１】
ところで、ハーネス１０のフック２４は、墜落時の落下距離を短くして墜落阻止時に着用者に加わる衝撃荷重を小さくするために、出来るだけ高い位置、少なくともＤ環１３より高い位置に引っ掛けることが推奨されている。フック２４をＤ環１３より低い位置に引っ掛けると、墜落時の落下距離が長くなるため、墜落阻止時に加わる衝撃荷重が大きくなってしまう。しかし、ハーネス１０のフック２４を高い位置に引っ掛けてしまうと、開口部４８がランヤード２０により捲れあがってしまい、開口部から雨水が浸入してしまう虞がある。
【００４２】
実施例１の作業用レインウェア３０は、後身頃４１に設けられた、作業者Ｍが身につけた墜落制止用器具（ハーネス１０）にランヤード２０を通すための開口部４８と、開口部４８の下方に設けられた、ランヤード２０の動きを抑制する抑制部（ループ部４５）と、を備え、前記開口部４８は、内側開口片４３Ａと、前記内側開口片４３Ａより外側に配置される外側開口片４２Ａとが重なった状態で、下方を向いて形成される（図３）。
【００４３】
これにより、図７に示すように、ランヤード２０の連結部付近の姿勢を下向きにすることができる。そのため、開口部４８がランヤード２０の動きによって捲れあがらないようにすることができる。その結果、作業者Ｍの作業時、特に屈んだり、しゃがんだりする時に、雨水が開口部４８から浸入することを防ぐことができる。
【００４４】
一方、抑制部（ループ部４５）を備えない作業用レインウェア９３０の場合、図８に示すように、ランヤード２０の連結部付近の姿勢が上向きになってしまう。そのため、開口部４８がランヤード２０の動きによって捲れあがってしまう。その結果、作業者Ｍの作業時、特に屈んだり、しゃがんだりする時に、雨水が開口部４８から浸入してしまう。
【００４５】
また、作業者Ｍが作業用レインウェア３０を着た状態で、開口部４８を下方に向けることができる。そのため、作業者Ｍの作業時に、雨水が開口部４８から浸入することを防ぐことができる。すなわち、開口部４８の外側開口片４２Ａの端部の位置より、内側開口片４３Ａの端部の位置が高くなるため、雨水は外側開口片４２Ａ上を流れていき作業用レインウェア３０の内側に雨水が侵入することがない。ただし、開口部４８は空気の流出入は可能なため、作業用レインウェア３０内にこもる熱や湿気を排出することができる。
【００４６】
実施例１の作業用レインウェア３０において、抑制部は、開口部４８の下方に設けられる環状のループ部４５である（図５）。
【００４７】
これにより、ループ部４５によって、ランヤード２０の連結部付近の姿勢を下向きにすることができる。そのため、簡易な構成で、作業者Ｍの作業時に、雨水が開口部４８から浸入することを防ぐことができる。
【００４８】
実施例１の作業用レインウェア３０において、内側開口片４３Ａの上端に、生地が折り返された折返し部４３ｃを備える（図５）。
【００４９】
これにより、開口部４８から雨水が浸入したとしても、作業用レインウェア３０の内側に雨水が浸入することを食い止めることができる。
【００５０】
実施例１の作業用レインウェア３０において、前身頃３１の胸部に、透明部３４を備える（図２）。
【００５１】
これにより、図９に示すように、透明部３４を通して、作業者Ｍが着用しているものを確認することができる。そのため、作業者Ｍが作業用レインウェア３０を着た状態で、ハーネス１０を正しく着用しているか否かを、現場責任者等が確認することができると共に、作業者自らが確認することができる。
【実施例２】
【００５２】
実施例２の作業用レインウェアは、抑制部の構成が異なる点で、実施例１の作業用レインウェアと相違する。
【００５３】
［作業用レインウェアの構成］
図１０は、実施例２の作業用レインウェアを示す背面図である。以下、図１０に基づいて、実施例２の作業用レインウェアの構成を説明する。なお、上記実施例で説明した内容と同一乃至均等な部分の説明については、同一用語又は同一の符号を用いて説明する。
【００５４】
実施例２の作業用レインウェア１３０では、図１０に示すように、縫合部４３ｂが形成されない中央部に、開口部１４８を形成する。開口部１４８は、作業用レインウェア１３０の内側から外側に通じる開口であって、下方に向けて形成される。開口部１４８は、作業用レインウェア１３０の幅方向において、例えば、１４〜１７［ｃｍ］程の大きさとすることができる。
【００５５】
開口部１４８を形成するレインウェア上部４２の部分は、外側開口片１４２Ａを構成する。開口部１４８を形成するレインウェア下部４３の部分は、内側開口片１４３Ａを構成する。
【００５６】
外側開口片１４２Ａは、レインウェア上部１４２の下端４２ａから下方に、例えば５［ｃｍ］程突出して、舌部を構成する。外側開口片（舌部）１４２Ａの、作業用レインウェア１３０の幅方向の両端部は、レインウェア下部４３に縫合される。外側開口片（舌部）１４２Ａの両側部には、縫合部１４２ｂが形成される。
【００５７】
開口部１４８は、内側開口片１４３Ａと、内側開口片１４３Ａより外側に配置される外側開口片１４２Ａとが重なった状態で、下方を向いて形成される。
【００５８】
［作業用レインウェアの作用］
次に、実施例２の作業用レインウェア１３０の作用を説明する。実施例２の作業用レインウェア１３０において、抑制部は、外側開口片１４２Ａが下方に突出する舌部であり、舌部の側部は、縫合されている（図９）。
【００５９】
これにより、舌部によって、ランヤード２０の連結部付近の姿勢を下向きにすることができる。そのため、簡易な構成で、作業者Ｍの作業時に、雨水が開口部１４８から浸入することを防ぐことができる。
【００６０】
なお、他の構成及び作用効果については、上記実施例と略同様であるので説明を省略する。
【００６１】
以上、本発明の作業用レインウェアを実施例１及び実施例２に基づき説明してきた。しかし、具体的な構成については、これらの実施例に限られるものではなく、特許請求の範囲の各請求項に係る発明の要旨を逸脱しない限り、設計の変更や、各実施例の組み合わせや、追加等は許容される。
【００６２】
実施例１及び実施例２では、透明部３４は、作業者Ｍの右胸付近に設けられる例を示した。しかし、透明部としては、作業者の左胸付近に設けられてもよいし、左右の両胸付近に設けられてもよい。
【００６３】
実施例１及び実施例２では、作業用レインウェア３０，１３０をフード無しとする例を示した。しかし、作業用レインウェアとしては、フード付きであってもよい。この場合、例えば、フードを着用していない場合、抑制部がランヤードの連結部付近の姿勢を下向きにするので、フードとランヤード２０との過度な干渉を防ぐことができる。
【００６４】
実施例１及び実施例２では、内側開口片４３Ａと外側開口片４２Ａとを締結する締結部材を、面ファスナ４６とする例を示した。しかし、締結部材としては、ボタンやファスナ等にすることができる。
【００６５】
実施例１及び実施例２では、開口部３３を縦長の矩形に形成する例を示した。しかし、開口部としては、横長の矩形であっても円形であってもよい。
【００６６】
実施例１及び実施例２では、ループ部４５は、防水性の生地で形成される例を示した。しかし、ループ部としては、ゴム等の弾性体で形成してもよい。この場合、ランヤードの動きをさらに抑制することができる。
【００６７】
実施例１及び実施例２では、本発明を作業者Ｍがフルハーネス型の墜落制止用器具を装着した状態で、着用される作業用レインウェアに適用する例を示した。しかし、本発明は、作業者Ｍが胴ベルト型の墜落制止用器具や、チェストハーネスを装着した状態で、着用される作業用レインウェアに適用することもできる。
【００６８】
実施例１及び実施例２では、本発明を作業者Ｍの臀部を覆う程の丈の作業用レインウェア３０，１３０に適用する例を示した。しかし、本発明は、作業者のウェストまでの丈の作業用レインウェアに適用することもできる。
【００６９】
実施例１及び実施例２では、本発明を、ランヤード２０が開口部４８に挿入されて、Ｄ環１３に連結される作業用レインウェアに適用する例を示した。しかし、本発明は、墜落制止用器具に接続されたランヤードが、予め開口部４８に通された状態の作業用レインウェアに適用することもできる。
【符号の説明】
【００７０】
１０        墜落制止用器具（ハーネス）
２０        命綱（ランヤード）
３０        作業用レインウェア
３１        前身頃
３４        透明部
４１        後身頃
４２Ａ      外側開口片
４３ｃ      折返し部
４３Ａ      内側開口片
４５        ループ部（抑制部の一例）
４８        開口部
Ｍ          作業者
【図１】
2020158915.tif 000003
【図２】
2020158915.tif 000004
【図３】
2020158915.tif 000005
【図４】
2020158915.tif 000006
【図５】
2020158915.tif 000007
【図６】
2020158915.tif 000008
【図７】
2020158915.tif 000009
【図８】
2020158915.tif 000010
【図９】
2020158915.tif 000011
【図１０】
2020158915.tif 000012